(57)【要約】      （修正有）【課題】家庭用給湯配管の温度低下を防ぎ、蛇口を開いた時、即お湯の出る即湯方式を提供する。【解決手段】円形ヘッダーを二つ平行に並べ、一方を給水ヘッダーとし、一方を給湯ヘッダーとして設置する。ヘッダー部６より枝分かれした各分岐管７の中に内管５を通し、内管内の停滞水をヘッダー部に取り付けたベンチュリー管にて引き戻す。そのための動力は原則必要とせず、枝管のいずれか一本が開けられたときのヘッダー内の流れで、他の全枝管内の停滞水を無くす。【選択図】図２
2018048797.tif 000002
【特許請求の範囲】
【請求項１】
分岐管取り付け位置を、円形ヘッダー中心に向かう、水源本流方向と、平行に、円周上に配置した、流体分岐装置。
【請求項２】
多数、取り付けられた分岐管の、ひとつ、又は、複数の分岐管先端器具が、開かれ、分岐装置に向かう補給主水路に起きた水流により作り出された、ベンチュリー効果の負圧力を全分岐管中に挿入した内管に導き分岐管全体の滞留水を入れ替える、装置。
【請求項３】
分岐装置と一体化した、循環ポンプの作動により、分岐装置とそれに接続された、分岐管内の流体を流動化する装置。
【請求項４】
分岐管根元より、先端まで差し込まれた、内管の流れの方向が、分岐管、先端器具の開閉度合いにより、入れ替わる装置。
【請求項５】
中間固定器具に、凍結防止ヒーターを取り付けた、熱伝導干渉固定器具。
【発明の詳細な説明】
【技術分野】
【０００１】  本発明は、ヘッダーにより配分された、給湯又は給水配管内の、温度をすべて一定に保ち、給湯においては、即湯方式、給水においては、凍結防止となる発明である。
【背景技術】
【０００２】  最近の家庭用給湯、給水、配管は、金属製、継手方式から、樹脂管製、ヘッダー方式に変わりつつあるが、これは、管末器具までの距離が、比較的長くなり、給湯では、望む温度を得るのに、時間と、捨て水の無駄があった。
【発明の概要】
【０００３】  ヘッダーにより配分された枝管内の流体は、枝管の長短にかかわらず、先端器具が開栓されない限り停滞し、常温化する。
本発明は、その枝管内の、停滞流体を、ヘッダーに戻し、ヘッダー内の、設定温度の流体と、入れ替える考案である。
【発明が解決しようとする課題】
【０００４】  温水蛇口を開けても、すぐに湯が出ないのが、ヘッダー方式の宿命であり、又、冬季凍結した場合、解凍が困難なのも、樹脂管ヘッダー方式の難点であった。【０００５】  特に、寒冷地の水回りの管理は、無人の別荘や、高齢者の家庭等、日中留守の家が多くなり、管理が行き届かない事が多く、簡単な給水、給湯方式が望まれていた。【０００６】又、ヘッダー方式は、不凍栓の使用が難しく、電熱式凍結防止器の、使用も大量になり、又、壁の中、天井裏に、配管設置するため、火災の心配や、保守交換が、困難であった。
【課題を解決するための手段】
【０００７】  本発明の給湯ヘッダーと、給水ヘッダーは、構造作動とも、同一である。【０００８】  したがって、以下給湯ヘッダーとしての、作動及び、効果を、説明する。【０００９】  通常のヘッダー方式は、筒状であるが、本発明は、作動部を円形に、考案したものである。【００１０】  円形ヘッダー本体（１）の中心部に、最大使用温水量を、流す事のできる断面積をもつ、筒状主水路（２）を作り、その筒状水路（２）を、取り巻き、分岐必要数の、内管差し込み口（３）設ける。【００１１】  当説明では、説明上、通常家庭の平均の、四か所給湯とするが、筒状主水路（２）の、外円周寸法、以内で、増減可能である。【００１２】  内管差し込み口（３）は筒状主水路（２）の、吹き出し口（４）、の周辺で、開口する。【００１３】  内管差し込み口（３）に、差し込まれた、内管（５）は、枝管取り付け器具（６）の中を通り、枝管（７）の、末端器具の直前まで、差し込む。【００１４】  以上の作業を、取り付けた枝管（７）ごと、当説明では、四か所に行なう。【００１５】  筒状主水路（２）には、温水源より、一定圧、一定温度の通水が有り、枝管（７）の、先端器具の開放により、吹き出し口（４）より、整流筒（８）内に、強く噴き出す。【００１６】  吹き出し口（４）は筒状主水路（２）の、通水断面積より小さいため、流速を早め、吹き出し口（４）付近に、ベンチュリー効果により、負圧が発生する。【００１７】  整流筒（８）内の、吹き出し口（４）付近で発生した負圧は、吹き出し口（４）の周りに取り付けた、内管差し込み口（３）に差し込まれた、内管内の停滞水を、吸い出す働きをする。【００１８】  整流筒（８）内に、吹き出し口（４）より、放出された本流は、整流筒（８）中を満たしあふれ、整流筒（８）の、外側と、円形ヘッダー本体（１）の、前面カバーケース（１０）の、内側を通り、開放された枝管に向かう。【００１９】  本流圧の残りは、開口されていない、他の枝管（７）内の、内圧を高め、負圧の発生した内管（５）の最先端より入り、負圧発生部に向かい、内管内の停滞水を、筒状主水路（２）に向かい押し出す。【００２０】仮に、台所蛇口が一つが、開かれた場合、台所専用枝管の、枝管取り付け器具（６）取り付けられた、枝管（７）に向かい、吹き出し口（４）をへて筒状主水路（２）の水流が動く。【００２１】  この時、吹き出し口（４）付近に発生した負圧は、使われていない、例として、洗面所の、回路内の停滞水を内管（５）、を、通し筒状主水路（２）に、戻す。【００２２】  この作動はどの枝管（７）の末端器具が開かれても同じ作用をし、又、末端器具が複数開栓し、水量が多くなれば、吹き出し口（４）の流速が早まり、加速度的に効果を発揮する。【００２３】  この一連の作動により、図示４本の、枝管の内１本でも、末端器具が開かれ、一定量、一定時間、吹き出し口（４）に、水の流れが起きれば、全枝管、分岐装置、全体の、流体温度を、一体化することができる。【００２４】  ゆえに、各枝管の停滞水は無くなり、一部の枝管の、設置条件による、急激な温度低下を防ぎ、給水ヘッダーとして使えば、凍結を防止する。【００２５】  次に、４本の枝管、すべての流れが止まった場合の、作動である。【０２６】  この場合、時間の経過とともに、外気温に、同化し、氷点下の、外気温が長く続けば、装置全体が凍結する。【００２７】  装置全体の凍結防止策について、説明する。【００２８】  前面カバーケース（１０）の一部に設けた、組み込んだ循環ポンプ（１１）により、円形ヘッダー本体（１）内の、停滞水を、循環ポンプ（１１）にて加圧し、循環水路（１２）を通り、水源側に設けた、循環水入口に、逆止弁を介して、送水する。【００２９】  この循環ポンプ（１１）の、作り出す水流により、すべての、枝管（７）の先端器具が閉じられていても、吹き出し口（４）には、流れが発生し、負圧を作り出し、閉鎖された枝管の、内管（５）の停滞水を、抜き取り、停滞をなくす。【００３０】  循環ポンプ（１１）は、円形ヘッダーと、一体化して、作業工程を、簡素化することができる。【００３１】  給水ヘッダーとして使用した場合、設置地域、使用水源により、外気温との温度差が、多く有る場合、効果を発揮する。【００３２】  冬季以外給水温度は、低いほど心地よいが、弊害もあり、天井裏、壁裏に配管した場合、特に、配管結露の被害が大きい。【００３３】  当出願、円形ヘッダーを、給水側に使用すると、トイレの、ロータンク当、使用量、使用頻度の多い場所への給水温度を、各末端接続器具、周辺水温に、平均化することができる。【００３４】外気温度が、氷点下以下にさがり、長時間経つと、配管凍結が始まるが、連結された、循環ポンプ（１１）により装置全体の、流動化を図り、凍結を防ぐ。【００３５】  給水補給水の、水温以外に、温度補給の無い、給水ヘッダー側回路は、給水側、循環ポンプにより回路内を流動化し、回路全体の凍結を防ぐが、さらなる温度低下に対する、防御として、凍結防止ヒーター付き、熱伝導干渉固定器具、を提供する。【００３６】  同じ形態、同じ作動の、円形ヘッダーを、二台、左右平列に設置、配管施工し、電熱凍結防止ヒーター付き、熱伝導干渉固定器具（１３）にて、固定する。【００３７】  この、凍結防止ヒーター付き、熱伝導干渉固定器具は、熱伝導の良い金属で作り、中心部に、温度センサーを付けた、凍結防止ヒーターを組み込む。【００３８】  給湯側回路の、温水温度の、一部は、この凍結防止ヒーター付き、熱伝導干渉固定器具（１３）を介して、給水側に伝わり、一定温度を確保する。【００３９】  夜間、又は、日中、留守の時は、給湯側の熱源も、止められる場合が多いが、この時、熱伝導干渉固定器具に、組み込んだ、温度センサーが、凍結防止ヒーターを働かせ、熱伝導干渉固定器具を通し、給水、給湯，両回路の、凍結最低温度を保証する。【００４０】  この凍結防止ヒーター付き熱伝導干渉固定器具（１３）一つにより、両回路の枝管、両ヘッダーの為の、凍結防止ヒーターは、一切必要としない。【００４１】  給湯側循環ポンプ（１１）は、常時通電、ＯＮにすれば、即湯方式である。【００４２】  給湯側循環ポンプ（１１）は、常時、ＯＦの場合で、回路の一つ、又は複数の枝管の、先端器具が、開かれた場合は、準即湯方式である。
【発明の効果】
【００４３】  （イ）給水ヘッダー、給湯ヘッダーとも、同じ物で、生産性がよい。
（ロ）給湯蛇口の、どれを開栓しても、即、設定温度の湯が使える、即湯方式である。
（ハ）不凍水栓を、使用しないため、開栓、閉栓の、煩わしさがない。
（ニ）電熱凍結防止帯を、使用しないため、火災の心配が少なく、経済的である。
（ホ）停電が無い限り、熱源が失われても、装置全体の流体が動き、凍結を防ぐ。
（ヘ）給湯側熱源を、給水側凍結防止熱源に利用でき、安全、経済的である。
（ト）凍結防止ヒーター周辺に、可燃材料、難燃材料もなく安心できる。
（チ）凍結防止ヒーターが目視、点検、交換可能な場所に、設置できる。
【図面の簡単な説明】
【図１】円形ヘッダーの、前面カバーケースと、本体分離の、透視斜視図である。
【図２】円形ヘッダーの、作動断面、概念図である。
【図３】凍結防止ヒーター付き、熱伝導、干渉固定器具、を使用した、設置施工例である。
【発明を実施するための形態】
【実施例】
【００４４】  ガス湯沸器又は、石油ボイラー等から供給された、一定圧、一定温度の温水は、筒状主水路（２）の、導水口（１３）より入り、筒状主水路（２）通り、吹き出し口（４）より、枝管末端器具の開閉度合いにより、緩やかに、又は激しく吹き出し、流量に応じた負圧を、吹き出し口（４）の周辺に、発生させ、吹き出し口（４）を取り囲んだ内管（５）の中の停滞水をぬきとる。【００４５】  これにより、各枝管の、先端の冷水は、ヘッダー付近の温水と、入れ替わる。
温水使用当初、洗濯槽、又は、流し台等で、使用することにより、他の枝管の冷水を抜き、温水と入れ替え、給湯装置全体の水温を平均化させ、無駄な捨て水をなくす事ができる。【００４６】  一端、装置全体が温水化すると、当発明の効果により、他のどの末端器具が開かれても、装置全体の流体が流動し、平均化、蛇口を開けてもすぐお湯が出ない、等の弊害をなくす事ができる。【００４７】  給水ヘッダーとして使用すると、当発明品の、効果が、最大に発揮できる。
例として、冬季、外流しの水道と、天井配管の、二階洗面台用の配管内温度差は、２０度以上になり、夜間通常使用しない外流しの枝管は、凍結寸前になるが、この時、水洗トイレで洗浄水として、４〜５リッターの水が使用されると、外流し用水道の、蛇口付近にある凍結寸前の、冷水を入れ替える事ができる。【００４８】  どの枝管の末端器具も、開かれない場合は、給水側装置の温度センサーが作動し循環ポンプ（１１）の運転を促し、筒状水路（２）に流れをつくり、ベンチュリー効果により、各内管に、負圧を作りすべての枝管の停滞水を筒状主水路（２）に戻す。【００４９】  このように枝管全体の、温度の平均化は、給湯配管と、給水配管の並列施工により、なお一層、給水配管を、凍結からまもる。
【符号の説明】
【００５０】（１）円形ヘッダー本体  （６）枝管取り付け器具  （１０）前面カバーケース
（２）筒状主水路        （７）枝管              （１１）循環ポンプ
（３）内管取り付け口    （８）整流筒            （１２循環水路）
（４）吹き出し口        （９）循環水入り口    （１３）ヒーター付き熱干渉固定金具
（５）内管
【図１】
2018048797.tif 000003
【図２】
2018048797.tif 000004
【図３】
2018048797.tif 000005